(57)【要約】【課題】  地下構造物の蓋の上にベンチ、プランター、台を着脱自在に固定し、蓋のスペースを利用し、ベンチで休憩したり、花や装飾物で飾って、歩道や広場の美観を高める。【解決手段】  ベンチ２またはプランターの底面に脚部３を設け、脚部３の下端に水平の足板４を設けるか、または台の下端に水平の足板を設け、地下構造物の蓋１の表面に、前記足板を嵌合できる凹部を設け、該凹部に足板４を嵌合させるか、または、足板４と前記凹部に対応してボルト孔を設け、前記凹部に足板４を嵌合させ、前記対応するボルト孔にボルト５を挿入し、ナットを締め付けることにより、足板４を蓋１に着脱自在に固定する。  蓋１には凹部を設けないで、蓋１の表面と足板４とに対応するボルト孔を設け、蓋１のボルト孔と足板４のボルト孔を対向させて対応するボルト孔にボルトを挿入し、ナットを締め付けることにより、前記足板を前記蓋に着脱自在に固定してもよい。【選択図】  図１
2006045875.tif 000002
【特許請求の範囲】
【請求項１】
ベンチまたはプランターの底面に脚部を設け、該脚部の下端に水平の足板を設けるか、または台の下端に水平の足板を設け、地下構造物の蓋の表面に、前記足板を嵌合できる凹部を設け、該凹部に前記足部を嵌合させるか、または、前記足板と前記凹部に対応してボルト孔を設け、前記凹部に前記足板を嵌合させ、前記対応するボルト孔にボルトを挿入し、ナットを締め付けることにより、前記足板を前記蓋に着脱自在に固定してなる、地下構造物の蓋に設置したベンチ、プランターまたは台。
【請求項２】
ベンチまたはプランターの底面に脚部を設け、該脚部の下端に水平の足板を設けるか、または台の下端に水平の足板を設け、地下構造物の蓋の表面と前記足板とに対応するボルト孔を設け、前記蓋のボルト孔と前記足板のボルト孔を対向させて足板を蓋の表面に載置し、前記対応するボルト孔にボルトを挿入し、ナットを締め付けることにより、前記足板を前記蓋に着脱自在に固定してなる、地下構造物の蓋に設置したベンチ、プランターまたは台。
【請求項３】
台が、植木鉢または飾り物を載置できる台よりなるか、または、植木鉢または飾り物が固着してなることを特徴とする請求項１または２のいずれかに記載の地下構造物の蓋に設置した台。
【発明の詳細な説明】
【技術分野】
【０００１】
この発明は、歩道や駐車場その他の広場に設けられた地下構造物の蓋の上に着脱自在に設置されたベンチ、プランターや、植木鉢、その他の飾り物置台に関するものである。
なお、本願における「地下構造物の蓋」とは、下水道における地下埋設物・地下構造施設等と地上とを通じる開口部を閉塞する大型鉄蓋・マンホール蓋・汚水枡蓋、電力・通信における地下施設機器や地下ケーブル等を保護する開閉可能な共同溝用鉄蓋・送電用鉄蓋・配電用鉄蓋、上水道やガス配管に於ける路面下の埋設導管およびその附属機器と地上とを結ぶ開閉扉としての機能を有する消火栓蓋・節水弁蓋・仕切弁蓋・空気弁蓋・ガス配管用蓋・量水器蓋等を総称する。
【背景技術】
【０００２】
従来、地下構造物の蓋（以下単に蓋と言う）は、特許文献１に記載のように円形か、または、特許文献２に記載のように、長方形であり、歩道や広場で大きな面積を占めている。
【特許文献１】特開２００２−１８８１６８号公報（図１）
【特許文献２】特開２００２−２２０８４７号公報（図１〜図３）
【発明の開示】
【発明が解決しようとする課題】
【０００３】
蓋はほとんどが鉄製で、面積も広く、周囲の舗装と色彩も異なり、美的調和が悪い。
プランターその他の花器やベンチを上に置いて環境美化を図ることができるが、それらは単に蓋の上に置くだけでは安定せず、何かの外力で移動し、蓋の上からはずれ、環境美化の目的が損なわれる。
【課題を解決するための手段】
【０００４】
ベンチまたはプランターの底面に脚部を設け、該脚部の下端に水平の足板を設けるか、または台の下端に水平の足板を設け、地下構造物の蓋の表面に、前記足板を嵌合できる凹部を設け、該凹部に前記足部を嵌合させるか、または、前記足板と前記凹部に対応してボルト孔を設け、前記凹部に前記足板を嵌合させ、前記対応するボルト孔にボルトを挿入し、ナットを締め付けることにより、前記足板を前記蓋に着脱自在に固定して、地下構造物の蓋にベンチ、プランターまたは台を設置する。
【０００５】
ベンチまたはプランターの底面に脚部を設け、該脚部の下端に水平の足板を設けるか、または台の下端に水平の足板を設け、地下構造物の蓋の表面と前記足板とに対応するボルト孔を設け、前記蓋のボルト孔と前記足板のボルト孔を対向させて足板を蓋の表面に載置し、前記対応するボルト孔にボルトを挿入し、ナットを締め付けることにより、前記足板を前記蓋に着脱自在に固定して、地下構造物の蓋にベンチ、プランターまたは台を設置する。
【０００６】
台は、植木鉢または飾り物を載置できる台よりなるか、または、植木鉢または飾り物が固着しているものよりなる。
【発明の効果】
【０００７】
この発明は、プランター、ベンチや台を蓋の上に着脱自在に固定し、蓋のスペースを利用でき、ベンチで休憩したり、花や装飾物で飾って歩道や広場の美観を高めることができる。
【発明を実施するための最良の形態】
【０００８】
図１は、蓋１にベンチ２を設置したものを示す。
ベンチ２の脚部３の下端に水平の足板４を設け、足板４にボルト孔（図示省略）を設け、蓋１に足板４のボルト孔に対応する位置にボルト孔（図示省略）を設け、それらボルト孔を対応させてベンチ２を蓋１の上に載置し、対応するボルト孔にボルト５を挿入し、ナット（図示省略）で締め付けて足板を蓋１に着脱自在に固定し、ベンチ２を蓋の上に設置する。
【０００９】
蓋１の表面に、ベンチ２の足板４に対応する位置に、足板４が嵌合する凹部を設け、その凹部にボルト孔を設け、足板４を凹部に嵌合させて、ボルト５とナットとで足板４を蓋に着脱自在に固定してもよい。
【００１０】
また、凹部および足板４にはボルト孔を設けないで、凹部に足板を嵌合させることにより、ベンチ２を蓋１に設置してもよい。
【００１１】
図において、ベンチの脚部３は、左右にそれぞれ１本であるが、脚部３の数は限定するものではなく、たとえば、左右の中間にもう１本設けてもよく、また、左右に各複数本づつ設けてもよい。
【００１２】
図２は、蓋１にプランター６を設置したものを示す。
プランター６の底面には、脚部７を設け、脚部７の下端に水平に足板８を設ける。そして、蓋１の表面に足板８が嵌合できる凹部９を設け、凹部９に足板８を嵌合させて、プランター６を蓋１に着脱自在に設置する。
【００１３】
足板８と凹部９に、対応してボルト孔を設け、凹部９に足板８を嵌合させ、ボルト孔にボルトを挿入してナットで締め付けて、足板８を凹部９に着脱自在に固定してもよい。
また、蓋１に凹部９を設けないで、蓋１に、足板のボルト孔に対応してボルト孔を設け、ボルトとナットとで、足板８を蓋１に着脱自在に固定してもよい。
なお、プランター６に脚部７を設けないで、プランター６の底面に直接足板８を設けてもよい。
【００１４】
図３は、柱状台付植木鉢１０を蓋１に設置したものを示す。
柱状台付植木鉢１０は、植木鉢１１の下方に柱状の台１２を設けたもので、台１２の下端に水平の足板１３を設ける。蓋１に足板１３が嵌合できる凹部１４を設け、足板１３と凹部１４とに対応してボルト孔（図示省略）を設け、足板を凹部１４に嵌合させ、ボルト１５を対応するボルト孔に挿入し、ナット（図示省略）で締め付けて、足板１３を凹部１４に着脱自在に固定し、柱状台付植木鉢１０を蓋１に設置する。
【００１５】
蓋１には凹部１４を設けないで、足板１３のボルト孔に対応したボルト孔を設け、ボルト１５とナットとで足板１３を蓋１に着脱自在に固定してもよい。
また、蓋１に凹部１４を設けた場合に、凹部１４と足板１３とにボルト孔を設けないで、足板１３を凹部１４に嵌合させることによって柱状台付植木鉢１０を蓋１に設置してもよい。
【００１６】
柱状台付植木鉢１０の設置の数は限定しない。
【００１７】
柱状台付植木鉢１０の代わりに、植木鉢１１のない台を蓋１に設置してもよい。
この場合、台の下端に足板を設け、足板と蓋１にボルト孔を設け、足板を蓋１にボルトとナットとで着脱自在に固定してもよく、または、蓋１に足板が嵌合する凹部を設けて、足板を凹部に嵌合させるか、あるいは、蓋１に足板が嵌合する凹部を設け、足板と蓋にボルト孔を設け、足板を凹部に嵌合させて、ボルトとナットとで足板を凹部に着脱自在に固定してもよい。
蓋１に設置した台に植木鉢その他の装飾物を載置して飾る。
【００１８】
前記ベンチ、プランター、柱状台付植木鉢および植木鉢を固定してない台の、足板の形状、大きさを統一し、蓋には、その足板を嵌合させる凹部を設けるか、または、その足板と蓋に対応するボルト孔を設ければ、同一の蓋に、ベンチ、プランター、柱状台付植木鉢および植木鉢を固定してない台のいずれかを選択して設置することができる。
足板にボルト孔を設ける場合には、その孔を長孔にすれば、足板と蓋との対応の微調整ができて好ましい。
【図面の簡単な説明】
【００１９】
【図１】蓋にベンチを設置した状態の斜視図である。
【図２】蓋にブランターを設置した状態の斜視図である。
【図３】蓋に柱状台付植木鉢を設置した状態の斜視図である。
【符号の説明】
【００２０】
１    蓋
２    ベンチ
３    脚部
４    足板
５    ボルト
６    プランター
７    脚部
８    足板
９    凹部
１０  柱状台付植木鉢
１１  植木鉢
１２  台
１３  足板
１４  凹部
１５  ボルト
【図１】
2006045875.tif 000003
【図２】
2006045875.tif 000004
【図３】
2006045875.tif 000005